(57)【特許請求の範囲】
【請求項１】
本体（１）の内側に、補助部材（２）を角度変更可能に設けてなり、この補助部材（２）を開いたときに、底部（４）が補強され、転倒が防止されるようにしたバッグであって、補助部材（２）を、その一辺（１５）を後部（７）の両側端縁に設けたものとし、補助部材（２）を開いたときに、補助部材（２）の一端部（３）が底部（４）の前端部付近に達するようにしたことを特徴とするバッグ。
【請求項２】
補助部材（２）は、本体（１）の後部（７）側の面に重ねられるようにしている請求項１記載のバッグ。
【請求項３】
本体（１）の後部（７）側に引手（１１）とキャスター（１２）を設け、開いた補助部材（２）の前記一端部（３）が、本体（１）の前部（８）側に位置するようにしている請求項１又は２記載のバッグ。
【発明の詳細な説明】
【０００１】
【発明の属する技術分野】
この発明は、いわゆるピギーバッグ等の、旅行その他適宜の目的で使用されるバッグに関するものである。
【０００２】
【従来の技術】
従来より、縦置き及び横置きが可能で、本体を縦置きにした場合の後部側に引手とキャスターを設け、本体を縦置きにした状態で引手を持ち、キャスターの回転を利用することにより、楽に移動できるようにしたピギーバッグが普及している。
【０００３】
従来のこの種のバッグは、縦置きにした場合に、バッグが転倒するのを防止するため、底部となる部分の長さが一定以上に確保されるように、前記底部となる部分を硬質な素材で形成しているものが多い。しかし、このような構成のバッグは、前記硬質な素材により確保された底部となる部分の長さのために、バッグをひしゃげさせて嵩低くすることができないため、取り扱いに不便を強いられていた。
【０００４】
一方、前記底部となる部分を柔軟な素材で形成すると、縦置きにした場合に、前記底部となる部分が変形して転倒し易くなる。
【０００５】
従って、縦置きにした場合に転倒しにくく、しかもバッグを嵩低くすることができるようにしたものは、従来存在しなかった。
【０００６】
【発明が解決しようとする課題】
そこで、この発明は、転倒しにくく、しかも嵩低くすることが可能なバッグを提供することを課題とする。
【０００７】
【課題を解決するための手段】
前記課題を解決するため、この発明は次のような技術的手段を講じている。
【０００８】
この発明のバッグは、本体１の内側に、補助部材２を角度変更可能に設けてなり、この補助部材２を開いたときに、底部４が補強され、転倒が防止されるようにしたバッグであって、補助部材２を、その一辺１５を後部７の両側端縁に設けたものとし、補助部材２を開いたときに、補助部材２の一端部３が底部４の前端部付近に達するようにしている。
【０００９】
補助部材２は、本体１の後部７側の面に重ねられるようにすることができる。
【００１０】
また、本体１の後部７側に引手１１とキャスター１２を設け、開いた補助部材２の前記一端部３が、本体１の前部８側に位置するようにすることができる。
【００１１】
【発明の実施の形態】
以下、この発明の実施形態を、図面を参照して説明する。
【００１２】
この発明のバッグは、本体１の内側に、補助部材２を角度変更可能に設けてなり、この補助部材２を開いたときに、補助部材２の一端部３が底部４付近に達することにより、前記底部４が補強され、転倒が防止されるようにしたものである。
【００１３】
図1は、このバッグの第1の実施形態を横置きにした場合の斜視図である。図２は、このバッグを縦置きにし、ファスナーを開放した状態を示す図、図３は、補助部材２を開き、本体１の転倒が防止されるようにした状態を示す図、そして、図４は、その底部４を示す図である。
【００１４】
このバッグは、縦置き及び横置きのいずれでも使用できるようにしている。この実施形態においては、「縦置き」とは、本体１のＸ軸方向、Ｙ軸方向、Ｚ軸方向の長さのうち、最も長い方向が上下方向になるようにした場合の設置状態を言うものとし、「横置き」とは、前記「縦置き」以外のいずれかの設置状態を言うものとする。
【００１５】
また、「底部の長さ」とは、本体１の上下方向に対して直角な方向の底部の長さを言うものとする。
【００１６】
以下、「底部４」、「頂部５」、「側部６」、「後部７」、「前部８」は、それぞれ本体１を縦置きにした場合の底部、頂部、側部、後部、前部を言うものとする。また、この実施形態において、後部７は、本体１を横置きにした場合に底部となる部分（以下、「横置き底部」と言う）であり、前部８は、本体１を横置きにした場合に頂部となる部分（以下、「横置き頂部」と言う）である。
【００１７】
このバッグは、本体１を略直方体状とし、横置き頂部（前部８）等をファスナー９により開閉自在にするとともに、手提げ用の持ち手１０を設けている。また、このバッグの本体１には、縦置きにした場合の後部７側に引手１１とキャスター１２を設けている。引手１１は、頂部５の後端部（横置き底部７の側）に設けられ、伸縮自在で、ファスナー１３を開閉して本体１内部に出入自在となっている。キャスター１２は、底部４の後端部の両側に１輪ずつ設けられている。さらに、底部４の前部寄りの位置の両側には、合成樹脂製の脚１４が設けられており、本体１を縦置きにした場合に安定するようにしている。
【００１８】
このバッグは、引手１１とキャスター１２を使用しない場合は、主に図１に示したように横置きにして使用することができる。
【００１９】
また、本体１は、底部４、頂部５、側部６、前部８が合成繊維等の生地や比較的柔軟な合成樹脂材で形成され、全体として柔軟性を有している。なお、横置き底部（後部７）は、比較的剛性を有するものとし、縦置きにした場合に本体１の形状が崩れないようにするとよい。
【００２０】
図２、図３に示したように、本体１の内側には、その両側のそれぞれに補助部材２が設けられている。この実施形態では、補助部材２の一端部３が、本体１を縦置きにした場合の前部８側、底部４の前端部付近に達することにより、底部４が補強され、その長さがこの一端部３とキャスター１２間の距離の分確保されるようになっている。
【００２１】
補助部材２は、ピアノ線を芯材として合成樹脂の押し出し成形により作製したフレームに、合成樹脂製のシートを取り付けてなり、その一辺１５を、横置き底部（後部７）の生地の両側端縁に縫着する等の手段により設けられたもので、頂部５の付近から、底部４の付近にまで達する長さを有するものとしている。
【００２２】
補助部材２は、少ない材料で低コストで作製できかつ軽量にすることができるように、引手１１を使用する際に力の係る部分のみを補強する形状とすることが望ましい。この実施形態における補助部材２は、図示したように、前記一端部３が、本体１を縦置きにした場合の前部８側に位置するように、側部６の対角線に沿う辺を有する三角形に似た形状とすることにより、縦置きにした本体１を安定的に支えるようにしている。
【００２３】
なお、補助部材２の形状は前記のものに限定されず、例えば、長方形の板状、フレーム状等、適宜の形状とすることができる。補助部材２は、金属、合成樹脂、木材等適宜の剛性を有する素材を用いて作製することができる。
【００２４】
このように、本体１を縦置きにした場合でも、補助部材２により底部４が補強され、変形しにくくなり、その長さが一定以上に確保されるため、バッグの転倒が防止される。
【００２５】
補助部材２は、本体１内において、横置き底部（後部７）と側部６との間で回転可能になっている。本体１を横置きにして使用する場合は、図２に示したように補助部材２を、本体１を縦置きにした場合の後部７側の面（横置き底部７の内側面）に重ねて畳んだ状態にしておくことができるので、物の収納の邪魔にならない。しかも、本体１は、前述のように全体として柔軟性を有しているため、本体１内に物を多く収納していない場合は、図５に示すように本体１を折り畳んだり、押しつぶしたりしてひしゃげさせ、嵩を低くすることができる。そのため、このバッグは大きなスペースをとらず、押し入れ等への収納や運送、在庫管理を容易に行うことができる。
【００２６】
また、補助部材２の下端部（前記一端部３の付近）と底部４には、互いに係合させられるようにした係合具１６が設けられている。この実施形態における係合具１６は、ベルベットファスナーとしているが、ホック等でもよい。この係合具１６により、補助部材２の角度変更が抑止され、補助部材２を開いた状態が確実に保持される。係合具１６は、補助部材２の外側面と側部６の内側面や、頂部５付近（図示せず）、その他適宜箇所に設けることもできる。
【００２７】
図６、図７、図８は、このバッグの第２の実施形態を示す図である。図６は、その本体１を縦置きにした場合の斜視図、図７は、そのファスナーを開放した状態を示す斜視図、図８は、その本体１を折り畳んで嵩を低くした場合の斜視図である。
【００２８】
このバッグは、本体１、補助部材２、引手１１、キャスター１２等の基本的な構成については前述の第１の実施形態と同様であるが、やや偏平な形状で、本体１を横置きにする場合は、側部６の一方を頂部に、他方を底部として使用するようにしたものである。そのため、このバッグには、側部６の一方にも持ち手１７が設けられている。また、本体１の両側の側部６の後部７側に一端が取り付けられたベルト１８を、前部８側にまわして連結することにより、本体１を折り畳んで嵩を低くした状態を維持できるようにしている。
【００２９】
このように、この発明のバッグは、様々な形状とすることができる。なお、この発明のバッグは、縦置き及び横置きの両方の使用を前提としたものには限定されず、実際にはもっぱら縦置きにして使用するものであってもよい。
【００３０】
この発明のバッグは、以上のように構成されており、縦置きにした場合に補助部材２により転倒が防止される。しかも、補助部材２を畳んで本体１をひしゃげさせて嵩を低くすることが可能であるため、飛行機や車両等に積むときに便利である。さらに、補助部材２は本体１内に設けられており、外側に露出しないため、運搬の際に邪魔にならず、体裁が悪くなることもない。
【００３１】
【発明の効果】
この発明のバッグは、上述のような構成を有しており、転倒しにくく、しかもバッグを嵩低くすることが可能となっている。
【図面の簡単な説明】
【図１】この発明の実施形態のバッグを横置きにした場合の斜視図。
【図２】この発明の実施形態のバッグを縦置きにしてファスナーを開放した場合の斜視図。
【図３】この発明の実施形態のバッグを縦置きにし、補助部材を開いた場合の斜視図。
【図４】この発明の実施形態のバッグを縦置きにした場合の底面図。
【図５】この発明の実施形態のバッグをひしゃげさせた場合の斜視図。
【図６】この発明の他の実施形態のバッグを縦置きにした場合の斜視図。
【図７】この発明の他の実施形態のバッグを縦置きにし、補助部材を開いた場合の斜視図。
【図８】この発明の他の実施形態のバッグを折り畳んで嵩を低くした場合の斜視図。
【符号の説明】
１  本体
２  補助部材
３  補助部材の一端部
４  底部
７  後部
８  前部
１１  引手
１２  キャスター
【図１】
0003682653.tif 000002
【図２】
0003682653.tif 000003
【図３】
0003682653.tif 000004
【図４】
0003682653.tif 000005
【図５】
0003682653.tif 000006
【図６】
0003682653.tif 000007
【図７】
0003682653.tif 000008
【図８】
0003682653.tif 000009